(57)【特許請求の範囲】
【請求項１】
（ａ）表示機器（１１）であって、
（ａ１）画像を表示する表示画面（１９）を有する表示体（２３）と、
（ａ２）動画モードと静止画モードとを設定するための赤外線の表示機器用制御信号を受信する第１リモコン受信回路（１４）と、
（ａ３）複数のビデオテープレコーダ機種毎の再生モードと再生停止モードとの各命令コードを予め記憶するビデオテープレコーダ機種記憶部（２１）と、
（ａ４）前記ビデオテープレコーダ機種を入力して設定する操作手段（２０）と、
（ａ５）第１制御回路（１５）であって、
第１リモコン受信回路（１４）と操作手段（２０）との出力に応答し、
表示機器用制御信号に対応して動画モードと静止画モードとに設定され、
動画モードでは、受信した映像信号を、表示体（２３）によって動画で表示させるとともに、ビデオテープレコーダ機種記憶部（２１）に記憶されている再生モードの操作手段（２０）によって設定されたビデオテープレコーダ機種の命令コードによって再生モード設定用制御信号を導出し、
静止画モードでは、静止画モードの表示機器用制御信号の第１リモコン受信回路（１４）による受信時の映像信号を、表示体（２３）によって静止画で表示させるとともに、ビデオテープレコーダ機種記憶部（２１）に記憶されている再生停止モードの操作手段（２０）によって設定されたビデオテープレコーダ機種の命令コードによって再生停止モード設定用制御信号を導出する第１制御回路（１５）とを有する表示機器（１１）と、
（ｂ）操作者によって操作されるキーボード（４０）を有し、このキーボード（４０）の出力に基づいて、動画モードと静止画モードとを設定する表示機器用制御信号を、第１リモコン受信回路（１４）に赤外線で送信する第１リモコン送信機（１３）と、
（ｃ）第１制御回路（１５）からの前記再生モード設定用制御信号と、前記再生停止モード設定用制御信号とを、導く第１ケーブル（７３）と、
（ｄ）映像信号を導く第２ケーブル（７５）と、
（ｅ）前記第１ケーブル（７３）を介する前記再生モード設定用制御信号と、前記再生停止モード設定用制御信号とを、赤外線で送信する第２リモコン送信機（２２）と、
（ｆ）ビデオテープレコーダ（１７）であって、
（ｆ１）第２リモコン送信機（２２）からの前記再生モード設定用制御信号と、前記再生停止モード設定用制御信号とを受信する第２リモコン受信回路（２４）と、
（ｆ２）映像信号が記憶されているビデオテープ（２８）と、
（ｆ３）第２制御回路（２６）であって、
第２リモコン受信回路（２４）の出力に応答し、
前記再生モード設定用制御信号に対応して再生モードに設定され、この再生モードでは、ビデオテープ（２８）を再生して、その再生した映像信号を、前記第２ケーブル（７５）を介して、第１制御回路（１５）に与え、
前記再生停止モード設定用制御信号に対応して再生停止モードに設定され、この再生停止モードでは、前記再生を停止する第２制御回路（２６）とを有するビデオテープレコーダ（１７）とを含むことを特徴とする遠隔制御表示装置。
【発明の詳細な説明】
【０００１】
【産業上の利用分野】
本発明は、互いに独立して遠隔制御される機器として、たとえばビデオテープレコーダと外部から入力される映像信号を表示する表示機器とを用い、これらの機器を表示機器の制御状態に応じて統合的に制御する際に好適に実施される遠隔制御表示装置に関する。
【０００２】
【従来の技術】
図９は、従来例である遠隔操作によって制御される表示装置（以下「遠隔制御表示装置」と略称する。）１の電気的構成を示すブロック図である。ビデオテープレコーダ２は映像信号を出力する機器であり、液晶表示機器３は、ビデオテープレコーダ２から出力された映像信号に基づいて映像を表示する機器である。遠隔操作を行うリモートコントロール送信機（以下「リモコン送信機」と略称する。）４は、ビデオテープレコーダ２を制御するための信号を赤外線を介して与える機器であり、リモコン送信機５は、液晶表示機器３を制御するための信号を赤外線を介して与える機器である。ビデオテープレコーダ２の映像信号出力端子（以下「出力端子」と略称する。）と液晶表示機器３の映像信号入力端子（以下「入力端子」と略称する。）とは、ケーブル６を介して接続されている。
【０００３】
遠隔制御表示装置１は、たとえば教育用などに用いられる。通常は、液晶表示機器３の表示画面に動画を表示させ、その動画に基づいて教育を行う。特に重要な表示内容について、前述の操作によって表示画面に表示された動画を静止画に変え、その静止画において、教育者が口頭で詳細に説明を行う。
【０００４】
たとえば、ビデオテープレコーダ２にビデオテープを設定し、ビデオテープに記録されている映像信号を再生するモード（以下「再生モード」と略称する。）にする場合、リモコン送信機４から、再生モードにするための制御信号をビデオテープレコーダ２の制御回路に与える。次にビデオテープレコーダ２の制御回路は、ビデオテープに記録された映像信号を再生し、再生した映像信号をケーブル６を介して液晶表示機器３の制御回路に与える。
【０００５】
次に、ビデオテープレコーダ２から送出された映像信号に基づいて、液晶表示機器３の表示画面に表示するためのモード（以下「動画表示モード」と略称する。）を設定するための制御信号をリモコン送信機５から液晶表示機器３の制御回路に与える。これによって、ビデオテープレコーダ２から与えられた映像信号に基づいて、液晶表示機器３の表示画面に、動画が表示される。
【０００６】
次に液晶表示機器３の表示画面に表示されている動画を静止画に変化させたい場合、ビデオテープレコーダ２から与えられた映像信号を一定時間同じ状態に保持するためのモード（以下「静止画モード」と略称する。）に設定するための制御信号をリモコン送信機５から液晶表示機器３の制御回路に与える。ほぼ同時に、再生モードを停止するモード（以下「再生停止モード」と略称する。）にするための制御回路をリモコン送信機４からビデオテープレコーダ２の制御回路に与える。これによって、液晶表示機器３の表示画面に静止画が表示され、ビデオテープレコーダ２は再生停止モードに設定される。もし、ビデオテープレコーダ２を再生停止モードに設定しない場合は、液晶表示機器３にビデオテープレコーダ２からの映像信号が送り続けられるので、再度、液晶表示機器３を動画表示モードに設定した場合、液晶表示機器３の表示画面に表示されていた静止画に続く動画を表示させることができない。
【０００７】
ここで、液晶表示機器３の表示画面に表示されている静止画を動画に変化させたい場合、液晶表示機器３をリモコン送信機５によって動画モードに設定する。ほぼ同時に、ビデオテープレコーダ２をリモコン送信機４によって再生モードに設定する。これによって、液晶表示機器３の表示画面には、静止画からの続きの動画が表示される。
【０００８】
また、前述の操作をビデオテープレコーダ２のリモコン送信機４のみによって行う方法もある。この場合、ビデオテープレコーダ２をリモコン送信機４によって再生モードからビデオテープからの再生信号を同じ状態で保持する静止画モードに設定し、液晶表示機器３の表示画面の動画を静止画に変化させる。しかしこの場合、再生ヘッドがビデオテープの同じ箇所を高速で接触しながら操作しているため、ビデオテープが損傷するという問題が生じる。
【０００９】
【発明が解決しようとする課題】
前述のように従来の遠隔制御表示装置１では、液晶表示機器３の表示画面に表示された画像を動画または静止画に設定するため、２つのリモコン送信機４，５をほぼ同時に使用する。このため、リモコン送信機４，５の操作が非常に煩わしい。また表示画面に表示された画像をたとえば動画から静止画、または静止画から動画に変化させる機会が多くなると、２つのリモコン送信機４，５の操作が追従できない場合がある。
【００１０】
本発明の目的は、操作性が優れ、かつ複数の機器を統合的に制御することができる遠隔制御表示装置を提供することである。
【００１１】
【課題を解決するための手段】
本発明は、（ａ）表示機器（１１）であって、
（ａ１）画像を表示する表示画面（１９）を有する表示体（２３）と、
（ａ２）動画モードと静止画モードとを設定するための赤外線の表示機器用制御信号を受信する第１リモコン受信回路（１４）と、
（ａ３）複数のビデオテープレコーダ機種毎の再生モードと再生停止モードとの各命令コードを予め記憶するビデオテープレコーダ機種記憶部（２１）と、
（ａ４）前記ビデオテープレコーダ機種を入力して設定する操作手段（２０）と、
（ａ５）第１制御回路（１５）であって、
第１リモコン受信回路（１４）と操作手段（２０）との出力に応答し、
表示機器用制御信号に対応して動画モードと静止画モードとに設定され、
動画モードでは、受信した映像信号を、表示体（２３）によって動画で表示させるとともに、ビデオテープレコーダ機種記憶部（２１）に記憶されている再生モードの操作手段（２０）によって設定されたビデオテープレコーダ機種の命令コードによって再生モード設定用制御信号を導出し、
静止画モードでは、静止画モードの表示機器用制御信号の第１リモコン受信回路（１４）による受信時の映像信号を、表示体（２３）によって静止画で表示させるとともに、ビデオテープレコーダ機種記憶部（２１）に記憶されている再生停止モードの操作手段（２０）によって設定されたビデオテープレコーダ機種の命令コードによって再生停止モード設定用制御信号を導出する第１制御回路（１５）とを有する表示機器（１１）と、
（ｂ）操作者によって操作されるキーボード（４０）を有し、このキーボード（４０）の出力に基づいて、動画モードと静止画モードとを設定する表示機器用制御信号を、第１リモコン受信回路（１４）に赤外線で送信する第１リモコン送信機（１３）と、
（ｃ）第１制御回路（１５）からの前記再生モード設定用制御信号と、前記再生停止モード設定用制御信号とを、導く第１ケーブル（７３）と、
（ｄ）映像信号を導く第２ケーブル（７５）と、
（ｅ）前記第１ケーブル（７３）を介する前記再生モード設定用制御信号と、前記再生停止モード設定用制御信号とを、赤外線で送信する第２リモコン送信機（２２）と、
（ｆ）ビデオテープレコーダ（１７）であって、
（ｆ１）第２リモコン送信機（２２）からの前記再生モード設定用制御信号と、前記再生停止モード設定用制御信号とを受信する第２リモコン受信回路（２４）と、
（ｆ２）映像信号が記憶されているビデオテープ（２８）と、
（ｆ３）第２制御回路（２６）であって、
第２リモコン受信回路（２４）の出力に応答し、
前記再生モード設定用制御信号に対応して再生モードに設定され、この再生モードでは、ビデオテープ（２８）を再生して、その再生した映像信号を、前記第２ケーブル（７５）を介して、第１制御回路（１５）に与え、
前記再生停止モード設定用制御信号に対応して再生停止モードに設定され、この再生停止モードでは、前記再生を停止する第２制御回路（２６）とを有するビデオテープレコーダ（１７）とを含むことを特徴とする遠隔制御表示装置である。
【００１２】
【作用】
本発明に従えば、主の機器である表示機器１１は、第１リモコン送信機１３によって、自己の制御状態に応じて、従の機器であるビデオテープレコーダ１７を遠隔制御することができる。したがって、複数の機器、すなわち表示機器１１とビデオテープレコーダ１７とを個別の手段により制御する必要がなく、操作性が優れ、かつ統合的に複数の機器、すなわち表示機器１１とビデオテープレコーダ１７とを制御することができる遠隔制御表示装置を得ることができる。
【００１３】
【実施例】
図１は、本発明の前提となる遠隔制御表示装置１０の電気的構成を示すブロック図である。この表示装置１０は、液晶表示機器１１およびビデオテープレコーダ１７を含んで構成され、液晶表示機器１１の映像信号入力端子とビデオテープレコーダ１７の映像出力端子がケーブルによって接続されている。
【００１４】
液晶表示機器１１について以下に説明する。リモコン送信機１３は、液晶表示機器１１の附属機器であり、液晶表示機器１１を制御するための信号を送信する。たとえば、リモコン送信機１３は、液晶表示機器１１を動画モード、静止画モードなどの各表示モードに設定するための制御信号を送信する。リモコン受信回路１４は、リモコン送信機１３からの制御信号を受信し、その制御信号は制御回路１５に出力される。制御回路１５は、リモコン受信回路１４から入力された制御信号が表す命令コードを解読し、その解読した命令コードに基づいて液晶表示機器１１を制御する。また、制御回路１５は、ビデオテープレコーダ１７から送られてくる映像信号に基づいて、表示体駆動回路１６を介して液晶表示体２３の表示画面１９に画像を表示させる。
【００１５】
操作手段２０には、液晶表示機器１１を動画モード、静止画モードなどの各表示モードを設定するためのスイッチなどが設けられている。操作手段２０の押下されたスイッチは、制御回路１５によって判断され、そのスイッチが表す命令に基づいて液晶表示機器１１を制御する。ビデオテープレコーダ機種記憶部２１は、詳細な説明は後述するけれども、各種のビデオテープレコーダ１７に附属するリモコン送信機の命令コードを記憶している。
【００１６】
さらに制御回路１５は、リモコン受信回路１４が受信した制御信号が表す命令コードを解読した結果、ビデオテープレコーダ１７を特定のモードに制御する必要がある場合、その特定のモードにするための命令コードを含む制御信号をリモコン送信機２２からビデオテープレコーダ１７のリモコン受信回路２４に送信する。たとえば、リモコン送信機１３から動画モードに設定するための設定信号がリモコン受信回路１４に送られると、制御回路１５は、ビデオテープレコーダ１７を再生モードにするための制御信号をリモコン送信機２２からリモコン受信回路２４に送信する。
【００１７】
次にビデオテープレコーダ１７の動作について以下に説明する。リモコン受信回路２４は、リモコン送信機２２からの制御信号を受信し、その制御信号は、制御回路２６に出力される。制御回路２６は、リモコン受信回路２４から入力された制御信号が表す命令コードを解読し、その解読した命令コードに基づいてビデオテープレコーダ１７を制御する。また、制御回路２６は、ビデオテープレコーダ１７が再生モードのとき、ビデオテープ２８に記憶されている映像信号をヘッド３０を介して再生し、その再生した映像信号をケーブルを介して液晶表示機器１１の制御回路１５へ出力する。
【００１８】
操作手段３２は、ビデオテープレコーダ１７を録画モード、再生モードなどの各モードに設定するためのスイッチなどが設けられている。操作手段３２の押下されたスイッチは、制御回路２６によって判断され、そのスイッチの表す命令に基づいて、ビデオテープレコーダ１７を制御する。
【００１９】
図２は、リモコン送信機１３の電気的構成を示すブロックを示す。キーボード４０は、液晶表示機器１１を動画モード、静止画モードなどの各表示モードに設定するためのスイッチを備える。キーボード４０の押下されたキーは、送信回路４１によって判断され、送信回路４１はそのキーに対応する命令コードを含む制御信号を駆動回路４２、発光ダイオード４３を介して赤外線に変換して送信する。リモコン送信機２２の電気的構成はリモコン送信機１３に類似しているけれども、キーボードを含まず制御回路１５からの制御信号が直接、送信回路２４に出力される。
【００２０】
図３は、リモコン受信回路１４，２４の回路図を示す。リモコン送信機１３，２２から送信された赤外線は、フォトダイオード４６で受光され、制御信号に変換され、増幅回路４７で増幅される。増幅された制御信号は、検波／波形整形回路４８で、検波／波形整形され、受信回路４９を介して、制御回路１５，２６に出力される。
【００２１】
図４は、液晶表示機器１１を動画モードに設定するための処理内容を示すフローチャートである。ステップａ１において、処理をスタートさせる。ステップａ２では、リモコン送信機１３において、動画モードに設定するための操作を行い、リモコン受信回路１４に制御信号を送信する。ステップａ３では、リモコン受信回路１４は、リモコン送信機１３からの制御信号を受信し、その制御信号を制御回路１５に出力する。ステップａ４では、制御回路１５は、リモコン受信回路１４から入力された制御信号が表す命令コードを解読し、液晶表示機器１１を動画モードに設定する。
【００２２】
ステップａ５において、制御回路１５は、液晶表示機器１１のリモコン送信機２２から、ビデオテープレコーダ１７のリモコン受信回路２４にビデオテープレコーダ１７を再生モードに設定するための制御信号を送信する。ステップａ６において、リモコン受信回路２４は、リモコン送信機２２からの制御信号を受信し、制御回路２６に出力する。ステップａ７では、制御回路２６は、リモコン受信回路２４から入力された制御信号が表す命令コードを解読し、ビデオテープレコーダ１７を再生モードに設定する。ステップａ８では、ビデオテープレコーダ１７で再生された映像信号が液晶表示機器１１に与えられ、液晶表示機器１１には動画が表示される。
【００２３】
図５は、液晶表示機器１１を静止画モードに設定するための処理内容を示すフローチャートである。ステップｂ１において処理をスタートさせる。ステップｂ２では、リモコン送信機１３において静止画モードに設定するための操作を行い、リモコン受信回路１４に制御信号を送信する。ステップｂ３では、リモコン受信回路１４は、リモコン送信機１３からの制御信号を受信し、その制御信号を制御回路１５に出力する。ステップｂ４では、制御回路１５は、リモコン受信回路１４から入力された制御信号が表す命令コードを解読し、液晶表示機器１１を静止画モードに設定する。
【００２４】
ステップｂ５において制御回路１５は、液晶表示機器１１のリモコン送信機２２から、ビデオテープレコーダ１７のリモコン受信回路２４に、ビデオテープレコーダ１７を再生停止モードに設定するための制御信号を与える。ステップｂ６において、リモコン受信回路２４はリモコン送信機２２からの制御信号を受信し、制御回路２６に出力する。ステップｂ７では、制御回路２６は、リモコン受信回路２４から入力された制御信号が表す命令コードを解読し、ビデオテープレコーダ１７を再生停止モードに設定する。ステップｂ８では、ビデオテープレコーダ１７において、再生が停止される。液晶表示機器１１の表示画面１９には、ステップｂ４の処理のときにビデオテープレコーダ１７から入力された映像信号に基づいて、静止画が表示される。
【００２５】
図４、図５で示されるフローチャートに基づいて液晶表示機器１１が動作しているとき、リモコン送信機１３から送信される制御信号と、リモコン送信機２２から送信される制御信号とが相互に干渉すると、液晶表示機器１１およびビデオテープレコーダ１７が誤動作する場合がある。そこで、図６に示されるように、リモコン送信機１３から制御信号が送信された場合、その制御信号を処理する最小時間ｔをあけて、リモコン送信機２２からの制御信号を送信する必要がある。
【００２６】
また、図１で示されるビデオテープレコーダ１７は、一般に市販され、複数の機種がある。しかし、ビデオテープレコーダ１７に対応するリモコン送信機の制御信号における命令コードは、機種毎に異なる。そのため、ビデオテープレコーダ１７の機種毎に専用の液晶表示機器１１を製造する必要がある。
【００２７】
そこで、液晶表示機器１１にビデオテープレコーダ機種記憶部２１を設け、異なる機種のビデオテープレコーダの前述の命令コードを予め記憶しておく。その場合、たとえば、ビデオテープレコーダ１７の機種が「Ａ」の場合、操作手段２０からその機種情報「Ａ」を入力することによって、制御回路１５は、ビデオテープレコーダ１７が機種「Ａ」であるということを判断する。これによって制御回路１５は、リモコン送信機２２から機種「Ａ」に基づいた命令コードを機種「Ａ」のビデオテープレコーダ１７のリモコン受信回路２４に与えることができる。
【００２８】
図７は、本発明の前提となる学習リモコンの電気的構成を示すブロック図である。学習リモコンとは、リモコン操作の対象となるビデオテープレコーダの機種が異なった場合に、その機種に対応する命令コードを学習して記憶する機能であり、これによって任意のビデオテープレコーダに対応することができる。したがって、図１で示されるリモコン送信機１３の代わりに学習リモコンを用いることによって、ビデオテープレコーダ機種記憶部２１を設けなくてもよい。
【００２９】
図７で示される学習リモコンに、新しい機種のビデオテープレコーダの命令コードを記憶させる場合について以下に説明する。まず、学習リモコンを新しい機種の命令コードを学習し記憶するモードに設定する。次に新しい機種のビデオテープレコーダに対応するリモコン送信機から、記憶させる命令コードを含んだ制御信号を学習リモコンのフォトダイオード５５に送信する。次にフォトダイオード５５に入力された制御信号は、増幅回路５６、検波／波形整形回路５７を介し、命令コードに再生される。ＣＰＵ５８は、その命令コードをランダムアクセスメモリ（以下「ＲＡＭ」と略称する。）５９に記憶させる。前述の処理を繰返すことによって、リモコン送信機が送出する全ての命令コードをＲＡＭ５９に記憶させる。ＲＡＭ５９は、記憶内容が消去しないように電池６２でバックアップされている。
【００３０】
したがって、図７で示される学習リモコンのＣＰＵ５８に命令を与えることによって、その命令はＣＰＵ５８によって解読され、ＣＰＵ５８はその命令に対する命令コードをＲＡＭ５９から読出す。次にＣＰＵ５８は、その命令コードを含む制御信号を駆動回路６０、発光ダイオード６１を介してビデオテープレコーダ１７のリモコン受信回路２４に送信する。
【００３１】
図８は、本発明の一実施例である遠隔制御表示装置７０の構成図である。この遠隔制御表示装置７０は、図１で示される遠隔制御表示装置１０に類似し、対応する部分には同一の参照符号を付し、詳細な説明は前述しているので省略する。この遠隔制御表示装置７０の概略的な動作について以下に説明する。リモコン送信機１３は、操作者の操作に基づいて、制御信号を送信する。その制御信号はスクリーン７１で反射され、液晶表示機器１１のリモコン受信回路１４に受信される。液晶表示機器１１は受信した制御信号に基づいて、表示モードを変更するとともに、その表示モードに対応してビデオテープレコーダ１７を制御するために、ケーブル７３で接続されたリモコン送信機２２から制御信号をビデオテープレコーダ１７の受信回路２４へ送信する。
【００３２】
ビデオテープレコーダ１７は、受信回路２４に入力された制御信号に基づいて制御される。たとえば、液晶表示機器１１が、動画モードに設定されていれば、ビデオテープレコーダ１７は、再生モードに設定され、再生した映像信号をケーブル７５を介して液晶表示機器１１へ出力する。液晶表示機器１１の表示画面１９の画像は、映像拡大機器７７の映像拡大手段７８によって、スクリーン７１上に拡大投影される。リモコン送信機２２は、液晶表示機器１１にケーブル７３を介して接続されている。
【００３３】
以上のように、操作者は１つのリモコン送信機１３を操作することによって、ビデオテープレコーダ１７および液晶表示機器１１のモードを容易に設定することができ、遠隔制御表示装置１０，７０を統合的に制御することができる。
【００３４】
以上遠隔制御表示について説明したけれども、既存の機器である表示機器１１に新規の機器であるビデオテープレコーダ１７を接続して有用な遠隔制御表示装置を構築し、かつ既存の機器である表示機器１１が第１リモコン送信機１３によって遠隔操作される場合において、新規の機器であるビデオテープレコーダ１７に関連して本発明を実施することができる。また既存の機器であるビデオテープレコーダ１７が外部からの制御信号を入力するための制御端子を備えず、リモコン送信機のみで制御される場合、本発明を実施することは特に効果が大きい。
【００３５】
【発明の効果】
以上のように本発明によれば、主の機器である表示機器１１は、第１リモコン送信機１３によって、自己の制御状態に応じて、従の機器であるビデオテープレコーダ１７を遠隔制御することができる。したがって、複数の機器、すなわち表示機器１１とビデオテープレコーダ１７とを個別の手段により制御する必要がなく、操作性が優れ、かつ統合的に複数の機器、すなわち表示機器１１とビデオテープレコーダ１７とを制御することができる遠隔制御表示装置を得ることができる。
【図面の簡単な説明】
【図１】本発明の前提となる遠隔制御表示装置１０の電気的構成を示すブロック図である。
【図２】図１で示されるリモコン送信機１３の電気的構成を示すブロック図である。
【図３】図１で示されるリモコン受信回路１４，２４の電気的構成を示すブロック図である。
【図４】図１で示される遠隔制御表示装置１０を動画モードに設定するためのフローチャートである。
【図５】図１で示される遠隔制御表示装置１０を静止画モードに設定するためのフローチャートである。
【図６】リモコン送信機１３，２２から送信される制御信号のタイムチャートである。
【図７】本発明の前提となる学習リモコンの電気的構成を示すブロック図である。
【図８】本発明の一実施例である遠隔制御表示装置７０の構成図である。
【図９】従来の遠隔制御表示装置１の電気的構成を示すブロック図である。
【符号の説明】
１０  遠隔制御表示装置
１１  液晶表示機器
１３，２２  リモコン送信機
１４，２４  リモコン受信回路
１５，２６  制御回路
１６  表示体駆動回路
１７  ビデオテープレコーダ
１９  表示画面
２０，３２  操作手段
２１  ビデオテープレコーダ機種記憶部
２８  ビデオテープ
３０  ヘッド
【図１】
0003571740.tif 000002
【図２】
0003571740.tif 000003
【図３】
0003571740.tif 000004
【図４】
0003571740.tif 000005
【図５】
0003571740.tif 000006
【図６】
0003571740.tif 000007
【図７】
0003571740.tif 000008
【図８】
0003571740.tif 000009
【図９】
0003571740.tif 000010